(57)【要約】【課題】空気調和機が、既存の構成を利用して自立的に日除けを開閉することで、空気調和機の省エネ運転を行う。【解決手段】ある空間に設置される室内機（１８）、室内機に設置され、空間の日射量を検出する日射量検出部（１１）、室内機から外部に情報を送信する通信部（１２）、通信部を用いて、日射量検出部が検出した日射量に応じて、空間への日射を遮る日除けの開閉制御を行う制御部（１３）、を備えている空気調和機（１）。【選択図】図２
2018031576.tif 000002
【特許請求の範囲】
【請求項１】
ある空間に設置される室内機と、
上記室内機に設置され、上記空間に対する日射量を検出する日射量検出部と、
上記室内機から外部に情報を送信する通信部と、
上記通信部を用いて、上記日射量検出部によって検出された日射量に応じて、上記空間に対する日射を遮る日除けを開ける制御、または、当該日除けを閉じる制御を行う制御部と、
を備えていることを特徴とする空気調和機。
【請求項２】
上記制御部は、
冷房運転中に、上記日射量検出部が検出した日射量を第１の閾値と比較し、
上記日射量が上記第１の閾値を超える場合、上記通信部を用いて、上記日除けを閉じる制御と、
上記日射量が上記第１の閾値を下回る場合、上記通信部を用いて、上記日除けを開ける制御との少なくとも一方を行う
ことを特徴とする請求項１に記載の空気調和機。
【請求項３】
上記制御部は、
上記日射量検出部が検出した日射量が、上記第１の閾値より小さい第２の閾値を超える場合、上記通信部を用いて、上記日除けを開ける制御と、
上記日射量が上記第２の閾値を下回る場合、上記通信部を用いて、上記日除けを閉じる制御との少なくとも一方を行う、
ことを特徴とする請求項２に記載の空気調和機。
【請求項４】
所定の日時を設定する日時設定部をさらに備え、
上記制御部は、
上記日時設定部が設定した日時になった場合に、上記通信部を用いて、上記日除けを開ける制御、または上記日除けを閉じる制御を行う、
ことを特徴とする請求項１から３のいずれか１項に記載の空気調和機。
【請求項５】
所定の地域の日の出時刻および日の入時刻の少なくとも一方を取得する時刻取得部と、
所定の日時を設定する日時設定部と、をさらに備え、
上記制御部は、
上記時刻取得部が取得した日の出時刻になった場合に、上記通信部を用いて、上記日除けを開ける制御と、
上記時刻取得部が取得した日の入時刻になった場合に、上記通信部を用いて、上記日除けを閉じる制御との少なくとも一方を行う、
ことを特徴とする請求項１から３のいずれか１項に記載の空気調和機。
【請求項６】
ある空間に対する日射量を検出する日射量検出部を備えた空気調和機が実施する空調制御方法であって、
上記日射量検出部によって検出された日射量に応じて、上記空間に対する日射を遮る日除けを開ける指示、または、当該日除けを閉じる指示を、無線通信を介して、上記空気調和機が上記日除けに与える、
ことを特徴とする空調制御方法。
【発明の詳細な説明】
【技術分野】
【０００１】
本発明は、空気調和機、および、空調制御方法に関する。
【背景技術】
【０００２】
近年、空気調和機には、本体側で検出した情報をリモコン等の端末に送信する機能を備えたものがある。また、近年、空気調和機には、日射センサを備え、日射量に応じた空調を行うようなものがある。また、リモコン等の遠隔操作により開閉可能な窓用のシャッタがある。
【０００３】
特許文献１には、ネットワークを介した遠隔操作により電動シャッタ装置の開閉が可能な、タッチパネル式ディスプレイを有する情報端末が開示されている。
【０００４】
特許文献２には、日射センサ、温湿度センサ、人感センサにより検出された情報に応じて、シャッタ、ブラインドの開閉、エアコン等の空調設備の運転停止を制御する居住環境制御装置が開示されている。
【０００５】
特許文献３には、空調対象域における日射状態を検出する日射検出手段と、空調対象域における日射状態を調整する日射調整手段と、日射検出手段の検出情報に応じて、空調対象域における日射状態の変化を抑制するように日射調整手段を制御する日射制御手段とを備えた空調システムが開示されている。
【先行技術文献】
【特許文献】
【０００６】
【特許文献１】特開２０１５−１３５０４８号公報（２０１５年７月２７日公開）
【特許文献２】特開２０１２−２４７８号公報（２０１２年１月５日公開）
【特許文献３】特開平８−３０３８３５号公報（１９９６年１１月２２日公開）
【発明の概要】
【発明が解決しようとする課題】
【０００７】
しかしながら、上述のような従来技術は、以下に示すような問題がある。
【０００８】
特許文献１のネットワークを使用した外部遠隔操作可能な電動シャッタ装置は高価であるという問題がある。
【０００９】
特許文献２の居住環境制御装置は、日射センサ、温湿度センサ、人感センサ、および、換気設備、照明設備、遮蔽・遮光設備、空調設備を備えた、大掛かりなシステム構成により、戸建て住宅全体の省エネを実現しているので、システムが高額になるという問題がある。
【００１０】
特許文献３の空調システムは、新たに日射検出手段、日射調整手段を設ける必要があるため、既にシャッタなどが取り付けられている環境では採用できず、システムが高額になるという問題がある。
【００１１】
本発明は、前記の問題点に鑑みてなされたものであり、その目的は、空気調和機が、既存の構成を利用して自立的に日除けを開閉することで、空気調和機の省エネ運転を行えるシステムを提供することにある。
【課題を解決するための手段】
【００１２】
上記の課題を解決するために、本発明の一態様に係る空気調和機は、ある空間に設置される室内機と、上記室内機に設置され、上記空間に対する日射量を検出する日射量検出部と、上記室内機から外部に情報を送信する通信部と、上記通信部を用いて、上記日射量検出部によって検出された日射量に応じて、上記空間に対する日射を遮る日除けを開ける制御、または、当該日除けを閉じる制御を行う制御部と、を備えている。
【００１３】
上記の課題を解決するために、本発明の一態様に係る空調制御方法は、ある空間に対する日射量を検出する日射量検出部を備えた空気調和機が実施する空調制御方法であって、上記日射量検出部によって検出された日射量に応じて、上記空間に対する日射を遮る日除けを開ける指示、または、当該日除けを閉じる指示を、無線通信を介して、上記空気調和機が上記日除けに与える。
【発明の効果】
【００１４】
本発明の一態様によれば、空気調和機が、既存の構成を利用して自立的に日除けを開閉することで、空気調和機の省エネ運転を行えるシステムを提供することができるとの効果を奏する。
【図面の簡単な説明】
【００１５】
【図１】本発明の実施形態１に係る空調システムの構成を示す模式図である。
【図２】本発明の実施形態１に係る空気調和機の要部構成を示すブロック図である。
【図３】本発明の実施形態１に係るシャッタリモコンの上面図である。
【図４】本発明の実施形態１に係る制御部の処理を示すフローチャートである。
【図５】本発明の実施形態１に係る制御部の処理を示すフローチャートである。
【図６】本発明の実施形態１に係る制御部の処理を示すフローチャートである。
【図７】本発明の実施形態２に係る空気調和機の要部構成を示すブロック図である。
【図８】本発明の実施形態２に係る制御部の処理を示すフローチャートである。
【図９】本発明の実施形態２に係る制御部の処理を示すフローチャートである。
【図１０】本発明の実施形態３に係る空気調和機の要部構成を示すブロック図である。
【図１１】本発明の実施形態３に係る制御部の処理を示すフローチャートである。
【図１２】本発明の実施形態３に係る制御部の処理を示すフローチャートである。
【図１３】本発明の実施形態３に係る制御部の処理を示すフローチャートである。
【図１４】本発明の実施形態３に係る制御部の処理を示すフローチャートである。
【図１５】本発明の実施形態３に係る制御部の処理を示すフローチャートである。
【図１６】本発明の実施形態１に係る空気調和機およびシャッタの詳細構成を示すブロック図である。
【発明を実施するための形態】
【００１６】
〔実施形態１〕
以下、本発明の実施の形態について、図１〜図６に基づいて、詳細に説明する。
【００１７】
（空調システム１００）
図１は、本実施形態に係る空調システム１００の構成を示す模式図である。空調システム１００は、図１に示すように、空気調和機１、空気調和機リモコン２、シャッタ３、および、シャッタリモコン４を備えている。空気調和機１は、室内機と、室外機とからなる、セパレート型の空気調和機である。図１には、空気調和機１の室内機１８が示されている。室内機１８は、空調の対象となる、ある空間（以下、「空調対象空間」という）に設置される。空気調和機１は、シャッタ３の開閉を制御する。空気調和機リモコン２は、利用者が空気調和機１を遠隔操作するための機器である。シャッタ３は、上記空間に対する日射を遮る日除けであり、例えば、ブラインド、カーテン、雨戸等であってもよい。シャッタリモコン４は、利用者がシャッタ３を遠隔操作するための機器である。
【００１８】
なお、空気調和機１は、セパレート型の空気調和機に限定されることなく、例えば、窓取付型の空気調和機、天井取付型の空気調和機などであってもよい。
【００１９】
（空気調和機１）
図２は、本実施形態に係る空気調和機１の要部構成を示すブロック図である。空気調和機１は、図２に示すように、日射量検出部１１、通信部１２、および、制御部１３を備えている。日射量検出部１１は、室内機１８に設置され、上記空間に対する日射量を検出する。日射量検出部１１として、フォトダイオードを備え、フォトダイオードに流れる電流の変化から日差しの強弱を検知する日射センサユニットを採用することができる。通信部１２は、室内機１８から外部に情報を送信する。制御部１３は、通信部１２を用いて、日射量検出部１１によって検出された日射量に応じて、シャッタ３を開ける制御、または、シャッタ３を閉じる制御を行う。
【００２０】
空気調和機１は、日射量検出部１１によって検出された日射量に応じて、空間に対する日射を遮るシャッタ３を開ける指示、または、シャッタ３を閉じる指示を、無線通信を介して、シャッタ３に与える。
【００２１】
図１６は、本実施形態に係る空気調和機およびシャッタの詳細構成を示すブロック図である。図１６では、空気調和機１の室内機１８に関して、図２のブロック図が詳細化されている。室内機１８は、日射量検出部１１、室外機通信部１２１、ネットワーク通信部１２２、赤外線送信部１２３、赤外線受光部１２４、制御部１３、温度検出部１６、ファン制御部１７、および、ルーバ制御部１９を備えている。室外機通信部１２１は、室外機との通信を行う。ネットワーク通信部１２２は、外部のネットワークとの通信を行う。赤外線送信部１２３は、シャッタ３の赤外線受光部３２に情報を送信する。赤外線受光部１２４は、空気調和機リモコン２から情報を受信する。温度検出部１６は、制御部１３の指示に従って、室内機１８内部の温度を検出する。ファン制御部１７は、制御部１３の指示に従って、室内機１８内部における空気の流れを生成するファンの回転を制御する。ルーバ制御部１９は、制御部１３の指示に従って、空気の吹き出し方向を変えるルーバの開閉および向きを制御する。
【００２２】
図１６に示すように、シャッタ３は、シャッタ開閉部３１、赤外線受光部３２、および、制御部３３を備えている。シャッタ開閉部３１は、制御部３３の指示に従って、シャッタ３を開閉する。赤外線受光部３２は、室内機１８の赤外線送信部１２３およびシャッタリモコン４から情報を受信する。制御部３３は、赤外線受光部３２を用いて、室内機１８およびシャッタリモコン４から情報を受信し、その情報に従って、シャッタ開閉部３１を用いて、シャッタ３を開ける制御、または、シャッタ３を閉じる制御を行う。
【００２３】
空気調和機１からシャッタ３への指示信号の設定方法には、学習リモコンのように信号を空気調和機１の室内機１８本体に向けて送信することで学習させて取得する方法がある。例えば、既存のリモコン設定で制御部１３が「信号学習モード」に移行し、規定時間以内に、シャッタリモコン４が発するシャッタ３のリモコン信号を空気調和機１の室内機１８の赤外線受光部に送信することにより、室内機１８でシャッタ３のリモコン信号を学習して、当該リモコン信号と同じ信号を送信することが可能になる。「信号学習モード」に移行するトリガは、リモコンに限定されることはなく、スマートフォン等の外部通信機器からのトリガでもよいし、室内機１８本体のボタン押下によるトリガでもよい。
【００２４】
また、空気調和機１からシャッタ３への指示信号の設定方法には、ネットワークに接続されている場合に、シャッタ３のメーカや製品型番等を登録することで、ネットワーク上から、メーカおよび製品固有の指示信号をダウンロードして使用する方法がある。
【００２５】
（シャッタリモコン４）
図３は、本実施形態に係るシャッタリモコン４の上面図である。シャッタリモコン４の上面には、開ボタン４１、停止ボタン４２、および、閉ボタン４３が配置されている。開ボタン４１は、シャッタ３を開ける場合に利用者に押下されるボタンである。停止ボタン４２は、シャッタ３の開閉動作を停止する場合に利用者に押下されるボタンである。閉ボタン４３は、シャッタ３を閉じる場合に利用者に押下されるボタンである。なお、シャッタ３は、完全に開いた場合に開動作を停止し、完全に閉じた場合に閉動作を停止する構成であってもよい。
【００２６】
（制御部１３の処理）
冷房や除湿等の冷房サイクル運転（以下、「冷房運転」という）中に、日射量検出部１１の検出した日射量の値が閾値を超える場合、制御部１３は、空気調和機１からシャッタ３を閉じる制御を行い、空調対象空間に対する日射量を制限する。この場合、制御部１３は、シャッタ３を完全に閉じるのではなく、所定量だけシャッタ３を下げる制御を行い、日射の制限と採光とをバランスさせることが好ましい。制御部１３は、日射量の変化に合わせて、空調対象空間に対する日射量が閾値以下になるように当該制御を繰り返す。
【００２７】
これにより、空調対象空間に対する日射量が閾値以下に制限され、日射による、空調対象空間の温度上昇を抑制することができるため、空気調和機１の省エネ運転を行うことができる。
【００２８】
なお、シャッタ３を閉じる量は、予め最大閉度合いを決めておいてもよい。例えば、シャッタ３を半分以上閉じないように設定してもよい。
【００２９】
ただし、天気の変化や時間の変化によって日射量が閾値を下回った場合、制御部１３は、シャッタ３を開ける制御を行う。これにより、空調対象空間に対する日射量を多少増加させるので、日中に日射量が少な過ぎる状態を回避することができる。
【００３０】
図４は、本実施形態に係る制御部１３の処理を示すフローチャートである。これは、空気調和機１におけるシャッタ閉制御の処理フローである。
【００３１】
制御部１３は、空気調和機１が冷房運転中であるか否かを判定する（Ｓ４０１）。空気調和機１が冷房運転中である場合（Ｓ４０１のＹＥＳ）、制御部１３は、日射量検出部１１が検出した日射量を閾値（第１の閾値）と比較し、日射量が閾値を超えるか否かを判定する（Ｓ４０２）。日射量が閾値を超える場合（Ｓ４０２のＹＥＳ）、制御部１３は、通信部１２を用いて、シャッタ３を閉じる制御を行う（Ｓ４０３）。制御部１３は、シャッタ３を所定量閉じる指示をシャッタ３に対して送信する。
【００３２】
Ｓ４０１において、空気調和機１が冷房運転中でない場合（Ｓ４０１のＮＯ）、または、Ｓ４０２において、日射量が閾値を超えない場合（Ｓ４０２のＮＯ）、制御部１３は、Ｓ４０３の処理をスキップして、シャッタ閉制御の処理を終了する。なお、Ｓ４０２とＳ４０３との間において、シャッタ３を所定量閉じることが可能かどうかを、そのときのシャッタ３の開閉状態に基づいて、制御部１３が判断するステップを実行してもよい。例えば、日中において、そのときのシャッタ３の開閉状態から、さらに所定量閉じる制御を実行した場合、ほとんど採光できない状態になってしまう場合には、所定量閉じる制御を実行しないようにしてもよい。
【００３３】
図５は、本実施形態に係る制御部１３の処理を示すフローチャートである。これは、空気調和機１におけるシャッタ開閉制御の処理フローである。
【００３４】
制御部１３は、空気調和機１が冷房運転中であるか否かを判定する（Ｓ５０１）。空気調和機１が冷房運転中である場合（Ｓ５０１のＹＥＳ）、制御部１３は、日射量検出部１１が検出した日射量を閾値（第１の閾値）と比較し、日射量が閾値を超えるか否かを判定する（Ｓ５０２）。日射量が閾値を超える場合（Ｓ５０２のＹＥＳ）、制御部１３は、通信部１２を用いて、シャッタ３を閉じる制御を行う（Ｓ５０３）。制御部１３は、シャッタ３を所定量閉じる指示をシャッタ３に対して送信する。
【００３５】
制御部１３は、日射量検出部１１が検出した日射量を閾値（第１の閾値）と比較し、日射量が閾値を下回るか否かを判定する（Ｓ５０４）。日射量が閾値を下回る場合（Ｓ５０４のＹＥＳ）、制御部１３は、通信部１２を用いて、シャッタ３を開ける制御を行う（Ｓ５０５）。制御部１３は、シャッタ３を所定量開ける指示をシャッタ３に対して送信する。
【００３６】
Ｓ５０１において、空気調和機１が冷房運転中でない場合（Ｓ５０１のＮＯ）、制御部１３は、シャッタ制御の処理を終了する。Ｓ５０２において、日射量が閾値を超えない場合（Ｓ５０２のＮＯ）、制御部１３は、Ｓ５０３をスキップして、Ｓ５０４の判定を行う。Ｓ５０４において、日射量が閾値を下回らない場合（Ｓ５０４のＮＯ）、制御部１３は、Ｓ５０５の処理をスキップして、シャッタ開閉制御の処理を終了する。なお、Ｓ５０３で決定される所定量を、シャッタ３を段階的に閉じることができるように設定し、Ｓ５０４でＮＯの判定になった場合に、処理をＳ５０３に戻し、日射量の値が閾値以下になるまで、Ｓ５０３およびＳ５０４を繰り返してもよい。
【００３７】
一方、日射量検出部１１の検出した日射量の値が閾値以下になった場合に、制御部１３は、日没と判断して、シャッタ３を完全に閉じる制御を行ってもよい。この場合の閾値は、図４、図５が示す処理における閾値よりも小さく設定される。
【００３８】
これにより、空調対象空間に人が存在しない場合など、失念や不在によるシャッタの閉じ忘れを防止することができる。従って、省エネの効果だけでなく、防犯の効果も奏する。
【００３９】
図６は、本実施形態に係る制御部１３の処理を示すフローチャートである。これは、空気調和機１におけるシャッタ閉制御の処理フローである。
【００４０】
制御部１３は、日射量検出部１１が検出した日射量を閾値（第２の閾値）と比較し、日射量が閾値を下回るか否かを判定する（Ｓ６０１）。日射量が閾値を下回る場合（Ｓ６０１のＹＥＳ）、制御部１３は、通信部１２を用いて、シャッタ３を閉じる制御を行う（Ｓ６０２）。制御部１３は、シャッタ３を完全に閉じる指示をシャッタ３に対して送信する。
【００４１】
Ｓ６０１において、日射量が閾値を下回らない場合（Ｓ６０１のＮＯ）、制御部１３は、Ｓ６０２の処理をスキップして、シャッタ閉制御の処理を終了する。
【００４２】
なお、日射量検出部１１が検出した日射量が閾値（第２の閾値）を超える場合、制御部１３は、日の出と判断して、通信部１２を用いて、シャッタ３を開ける制御を行ってもよい。これにより、空調対象空間に人がいない冬の早朝にタイマで空気調和機１の暖房運転を行う際に、日射量が閾値を超える場合に、シャッタ３を開けて日差しを取り込むことにより、空調対象空間を日差しで温めることができるので、暖房時の省エネ効果を得ることもできる。
【００４３】
一般的にシャッタ３は設備なので買替え頻度は低いが、空気調和機１は例えば約１０年毎に買い替える商品である。本実施形態によれば、既に設置済のシャッタ３を変更することなく、空気調和機１の省エネ運転を行うことができる。また、シャッタ３を新規に設置する場合にも、一般的な電動シャッタを用いることができるため、安価にシステムを構成することができる。空気調和機１も同様に、空調制御に用いられる既設のセンサや送信モジュールを使用するので、従来と同等の価格の空気調和機１で省エネ運転を行うことができる。
【００４４】
〔実施形態２〕
本発明の実施形態２について、図７〜図９に基づいて説明すれば、以下のとおりである。なお、説明の便宜上、前記実施形態にて説明した部材と同じ機能を有する部材については、同じ符号を付記し、その説明を省略する。
【００４５】
（空気調和機１ａ）
図７は、本実施形態に係る空気調和機１ａの要部構成を示すブロック図である。空気調和機１ａは、図７に示すように、日射量検出部１１、通信部１２、制御部１３、および、日時設定部１４を備えている。日射量検出部１１、通信部１２、および、制御部１３に関しては、図２の説明で記載した通りである。日時設定部１４は、所定の日時を設定する。そして、制御部１３は、日時設定部１４が設定した日時になった場合に、通信部１２を用いて、シャッタ３を開ける制御、またはシャッタ３を閉じる制御を行う。
【００４６】
（制御部１３の処理）
制御部１３は、日時設定部１４を用いて、シャッタ３を開ける時刻、閉じる時刻を設定しておき、空気調和機１内の現在時刻が設定時刻になった場合に、シャッタ３に対して完全に開ける、または、閉じる指示を送信する。
【００４７】
これにより、空調対象空間に人が存在しない場合など、失念や不在によるシャッタの閉じ忘れを防止することができる。従って、省エネの効果だけでなく、防犯の効果も奏する。また、空調対象空間に人がいない冬の早朝にタイマで空気調和機１ａの暖房運転を行う場合に、日の出時刻以降であれば、シャッタ３を開けて日差しを取り込むことにより、空調対象空間を日差しで温めることができるので、暖房時の省エネ効果を得ることもできる。
【００４８】
図８は、本実施形態に係る制御部１３の処理を示すフローチャートである。これは、空気調和機１ａにおけるシャッタ開制御の処理フローである。
【００４９】
制御部１３は、現在時刻が、日時設定部１４が設定した開設定時刻か否かを判定する（Ｓ８０１）。現在時刻が開設定時刻である場合（Ｓ８０１のＹＥＳ）、制御部１３は、通信部１２を用いて、シャッタ３を開ける制御を行う（Ｓ８０２）。制御部１３は、シャッタ３を完全に開ける指示をシャッタ３に対して送信する。
【００５０】
Ｓ８０１において、現在時刻が開設定時刻でない場合（Ｓ８０１のＮＯ）、制御部１３は、Ｓ８０２の処理をスキップして、シャッタ開制御の処理を終了する。
【００５１】
図９は、本実施形態に係る制御部１３の処理を示すフローチャートである。これは、空気調和機１ａにおけるシャッタ閉制御の処理フローである。
【００５２】
制御部１３は、現在時刻が、日時設定部１４が設定した閉設定時刻か否かを判定する（Ｓ９０１）。現在時刻が閉設定時刻である場合（Ｓ９０１のＹＥＳ）、制御部１３は、通信部１２を用いて、シャッタ３を閉じる制御を行う（Ｓ９０２）。制御部１３は、シャッタ３を完全に閉じる指示をシャッタ３に対して送信する。
【００５３】
Ｓ９０１において、現在時刻が閉設定時刻でない場合（Ｓ９０１のＮＯ）、制御部１３は、Ｓ９０２の処理をスキップして、シャッタ閉制御の処理を終了する。
【００５４】
なお、制御部１３は、シャッタ３の開閉制御を行う際に、必ずしも完全な開閉を指示するのではなく、例えば、日射量検出部１１を介して日射量を取得し、当該日射量に従って、シャッタ３の開度を調整してもよい。
【００５５】
〔実施形態３〕
本発明の実施形態３について、図１０〜図１５に基づいて説明すれば、以下のとおりである。なお、説明の便宜上、前記実施形態にて説明した部材と同じ機能を有する部材については、同じ符号を付記し、その説明を省略する。
【００５６】
（空気調和機１ｂ）
図７は、本実施形態に係る空気調和機１ｂの要部構成を示すブロック図である。空気調和機１ｂは、図１０に示すように、日射量検出部１１、通信部１２、制御部１３、日時設定部１４、および、時刻取得部１５を備えている。日射量検出部１１、通信部１２、制御部１３、および、日時設定部１４に関しては、図２、図７の説明で記載した通りである。時刻取得部１５は、所定の地域の日の出時刻および日の入時刻の少なくとも一方を取得する。日時設定部１４は、所定の日時を設定する。そして、制御部１３は、時刻取得部１５が取得した日の出時刻になった場合に、通信部１２を用いて、シャッタ３を開ける制御と、時刻取得部１５が取得した日の入時刻になった場合に、通信部１２を用いて、シャッタ３を閉じる制御との少なくとも一方を行う。
【００５７】
（制御部１３の処理）
制御部１３は、ネットワークに接続され、空気調和機１が現在設置されている地域を登録可能であり、ネットワーク上のサイトから上記地域における日の出時刻および日の入時刻を取得する。そして、制御部１３は、日時設定部１４により、日の出時刻および日の入時刻をそれぞれ開時刻および閉時刻として設定する。
【００５８】
これにより、季節や地域により異なる日の出時刻および日の入時刻に対応できるので、適切な時刻にシャッタ３の開閉を行うことができる。
【００５９】
図１１は、本実施形態に係る制御部１３の処理を示すフローチャートである。これは、空気調和機１ａにおける日時設定の処理フローである。
【００６０】
制御部１３は、時刻取得部１５により、サーバから日の出時刻および日の入時刻をダウンロードする（Ｓ１１０１）。そして、制御部１３は、日時設定部１４により、郵便番号、住所を用いて、現在地の日の出時刻および日の入時刻を設定する（Ｓ１１０２）。
【００６１】
図１２は、本実施形態に係る制御部１３の処理を示すフローチャートである。これは、空気調和機１ｂにおけるシャッタ開制御の処理フローである。
【００６２】
制御部１３は、現在時刻が日の出時刻か否かを判定する（Ｓ１２０１）。現在時刻が日の出時刻である場合（Ｓ１２０１のＹＥＳ）、制御部１３は、通信部１２を用いて、シャッタ３を開ける制御を行う（Ｓ１２０２）。制御部１３は、シャッタ３を完全に開ける指示をシャッタ３に対して送信する。
【００６３】
Ｓ１２０１において、現在時刻が日の出時刻でない場合（Ｓ１２０１のＮＯ）、制御部１３は、Ｓ１２０２の処理をスキップして、シャッタ開制御の処理を終了する。
【００６４】
図１３は、本実施形態に係る制御部１３の処理を示すフローチャートである。これは、空気調和機１ｂにおけるシャッタ閉制御の処理フローである。
【００６５】
制御部１３は、現在時刻が日の入時刻か否かを判定する（Ｓ１３０１）。現在時刻が日の入時刻である場合（Ｓ１３０１のＹＥＳ）、制御部１３は、通信部１２を用いて、シャッタ３を閉じる制御を行う（Ｓ１３０２）。制御部１３は、シャッタ３を完全に閉じる指示をシャッタ３に対して送信する。
【００６６】
Ｓ１３０１において、現在時刻が日の入時刻でない場合（Ｓ１３０１のＮＯ）、制御部１３は、Ｓ１３０２の処理をスキップして、シャッタ閉制御の処理を終了する。
【００６７】
さらに、日の入時刻前後の所定時間(例えば、１時間)の間だけ、制御部１３は、日射量検出部１１による日射量の検出を行い、日射量が閾値を下回る場合にシャッタ３を完全に閉じる指示を行う。
【００６８】
これにより、空気調和機１が設置されている地域の中でも、高低差や山の影になるような地域がある場合に、地形による日の入時刻の誤差を少なくすることができ、かつ、日射量検出部１１による日射量の検出時間を減らすことにより、省エネ運転を図ることもできる。
【００６９】
図１４は、本実施形態に係る制御部１３の処理を示すフローチャートである。これは、空気調和機１ｂにおけるシャッタ開制御の処理フローである。
【００７０】
制御部１３は、現在時刻が日の出時刻か否かを判定する（Ｓ１４０１）。現在時刻が日の出時刻である場合（Ｓ１４０１のＹＥＳ）、制御部１３は、日射量検出部１１が検出した日射量を閾値（第２の閾値）と比較し、日射量が閾値を超えるか否かを判定する（Ｓ１４０２）。日射量が閾値を超える場合（Ｓ１４０２のＹＥＳ）、制御部１３は、通信部１２を用いて、シャッタ３を開ける制御を行う（Ｓ１４０３）。制御部１３は、シャッタ３を完全に開ける指示をシャッタ３に対して送信する。
【００７１】
Ｓ１４０１において、現在時刻が日の出時刻でない場合（Ｓ１４０１のＮＯ）、または、Ｓ１４０２において、日射量が閾値を超えない場合（Ｓ１４０２のＮＯ）、制御部１３は、Ｓ１４０３の処理をスキップして、シャッタ開制御の処理を終了する。
【００７２】
図１５は、本実施形態に係る制御部１３の処理を示すフローチャートである。これは、空気調和機１ｂにおけるシャッタ閉制御の処理フローである。
【００７３】
制御部１３は、現在時刻が日の入時刻か否かを判定する（Ｓ１５０１）。現在時刻が日の入時刻である場合（Ｓ１５０１のＹＥＳ）、制御部１３は、制御部１３は、日射量検出部１１が検出した日射量を閾値（第２の閾値）と比較し、日射量が閾値を下回るか否かを判定する（Ｓ１５０２）。日射量が閾値を下回る場合（Ｓ１５０２のＹＥＳ）、制御部１３は、通信部１２を用いて、シャッタ３を閉じる制御を行う（Ｓ１５０３）。制御部１３は、シャッタ３を完全に閉じる指示をシャッタ３に対して送信する。
【００７４】
Ｓ１５０１において、現在時刻が日の入時刻でない場合（Ｓ１５０１のＮＯ）、または、Ｓ１５０２において、日射量が閾値を下回らない場合（Ｓ１５０２のＮＯ）、制御部１３は、Ｓ１５０３の処理をスキップして、シャッタ閉制御の処理を終了する。
【００７５】
〔ソフトウェアによる実現例〕
空気調和機１、１ａ、１ｂの制御部１３は、集積回路（ＩＣチップ）等に形成された論理回路（ハードウェア）によって実現してもよいし、ＣＰＵ（Central Processing Unit）を用いてソフトウェアによって実現してもよい。
【００７６】
後者の場合、空気調和機１、１ａ、１ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７７】
〔まとめ〕
本発明の態様１に係る空気調和機（１）は、ある空間に設置される室内機（１８）と、上記室内機に設置され、上記空間に対する日射量を検出する日射量検出部（１１）と、上記室内機から外部に情報を送信する通信部（１２）と、上記通信部を用いて、上記日射量検出部によって検出された日射量に応じて、上記空間に対する日射を遮る日除けを開ける制御、または、当該日除けを閉じる制御を行う制御部（１３）と、を備えている。
【００７８】
上記の構成によれば、空気調和機が、既存の構成を利用して自立的に日除けを開閉することで、空気調和機の省エネ運転を行えるシステムを提供することができる。
【００７９】
本発明の態様２に係る空気調和機は、上記態様１において、上記制御部が、冷房運転中に、上記日射量検出部が検出した日射量を第１の閾値と比較し、上記日射量が上記第１の閾値を超える場合、上記通信部を用いて、上記日除けを閉じる制御と、上記日射量が上記第１の閾値を下回る場合、上記通信部を用いて、上記日除けを開ける制御との少なくとも一方を行ってもよい。
【００８０】
上記の構成によれば、日射量と、閾値との比較結果に応じて、日除けの開閉を制御するので、空間に対する日射量を適切に調整することができる。
【００８１】
本発明の態様３に係る空気調和機は、上記態様２において、上記制御部が、上記日射量検出部が検出した日射量が、上記第１の閾値より小さい第２の閾値を超える場合、上記通信部を用いて、上記日除けを開ける制御と、上記日射量が上記第２の閾値を下回る場合、上記通信部を用いて、上記日除けを閉じる制御との少なくとも一方を行ってもよい。
【００８２】
上記の構成によれば、日射量と、より小さい閾値との比較結果に応じて、日除けの開閉を制御するので、例えば、日の出時刻および日の入時刻に合わせた、あるいは、日の出時刻および日の入時刻に応じた日除けの開閉を行うことができる。また、暖房運転の場合には、日射量が第２の閾値を超える場合に、日除けを開け日差しを早くから取り込むことによって、空間を日差しで温めることができるので、暖房時の省エネ効果を得ることもできる。
【００８３】
本発明の態様４に係る空気調和機（１ａ）は、上記態様１から３において、所定の日時を設定する日時設定部（１４）をさらに備え、上記制御部が、上記日時設定部が設定した日時になった場合に、上記通信部を用いて、上記日除けを開ける制御、または上記日除けを閉じる制御を行ってもよい。
【００８４】
上記の構成によれば、例えば、日時設定部によって日の出時刻および日の入時刻を設定することにより、日の出時刻および日の入時刻に日除けの開閉を行うことができる。日の出時刻になると、日除けを自動的に開ける制御は、暖房時の省エネ効果をもたらすことについて、既に説明したとおりである。また、日の入り時刻になると、日除けを自動的に閉じるので、防犯効果を得ることができる。
【００８５】
本発明の態様５に係る空気調和機（１ｂ）は、上記態様１から３において、所定の地域の日の出時刻および日の入時刻の少なくとも一方を取得する時刻取得部（１５）と、所定の日時を設定する日時設定部と、をさらに備え、上記制御部が、上記時刻取得部が取得した日の出時刻になった場合に、上記通信部を用いて、上記日除けを開ける制御と、上記時刻取得部が取得した日の入時刻になった場合に、上記通信部を用いて、上記日除けを閉じる制御との少なくとも一方を行ってもよい。
【００８６】
上記の構成によれば、所定の地域の日の出時刻、日の入時刻を設定するので、正確な日の出時刻、日の入時刻に日除けの開閉を行うことができる。日の出時刻になると、日除けを自動的に開ける制御は、暖房時の省エネ効果をもたらすことについて、既に説明したとおりである。また、日の入り時刻になると、日除けを自動的に閉じるので、防犯効果を得ることができる。
【００８７】
本発明の態様６に係る空調制御方法は、ある空間に対する日射量を検出する日射量検出部を備えた空気調和機が実施する空調制御方法であって、上記日射量検出部によって検出された日射量に応じて、上記空間に対する日射を遮る日除けを開ける指示、または、当該日除けを閉じる指示を、無線通信を介して、上記空気調和機が上記日除けに与える。
【００８８】
この空調制御方法によれば、態様１に係る空気調和機の構成によって得られる効果と同様の効果を得ることができる。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１、１ａ、１ｂ  空気調和機
３  シャッタ
１１  日射量検出部
１２  通信部
１３  制御部
１４  日時設定部
１５  時刻取得部
１８  室内機
１００  空調システム
【図１】
2018031576.tif 000003
【図２】
2018031576.tif 000004
【図３】
2018031576.tif 000005
【図４】
2018031576.tif 000006
【図５】
2018031576.tif 000007
【図６】
2018031576.tif 000008
【図７】
2018031576.tif 000009
【図８】
2018031576.tif 000010
【図９】
2018031576.tif 000011
【図１０】
2018031576.tif 000012
【図１１】
2018031576.tif 000013
【図１２】
2018031576.tif 000014
【図１３】
2018031576.tif 000015
【図１４】
2018031576.tif 000016
【図１５】
2018031576.tif 000017
【図１６】
2018031576.tif 000018